(57)【要約】【課題】  鳩などの鳥類による糞害を効率よく解消でき、かつ安価であって建物などの美観を損なうことがない鳩糞などの糞害防止具を提供すること。【解決手段】  長手方向に切込が設けられた貫通孔を有する基部と、該基部の周囲に設けた複数枚の羽根板とからなることを特徴とする鳩糞などの糞害防止具。【選択図】  図１
2005295909.tif 000002
【特許請求の範囲】
【請求項１】
長手方向に切込が設けられた貫通孔を有する基部と、該基部の周囲に設けた複数枚の羽根板とからなることを特徴とする鳩糞などの糞害防止具。
【請求項２】
羽根板の枚数が、２枚〜５枚である請求項１に記載の鳩糞などの糞害防止具。
【請求項３】
複数の羽根板が、貫通孔を有する基部の周囲に略同一の間隔を有して配置されている請求項１に記載の鳩糞などの糞害防止具。
【請求項４】
少なくとも基部が、弾性体で形成されている請求項１に記載の鳩糞などの糞害防止具。
【発明の詳細な説明】
【技術分野】
【０００１】
本発明は、鳩糞などの糞害防止具に関する。
【背景技術】
【０００２】
従来、都市部においては鳩やカラスが繁殖し、これらの鳥類は、鉄道、バスなどの駅舎、公園の建造物、公共建物、高架鉄道のガード下、個人住宅などに住みつき、多くの糞害が発生している。これらの糞害を解消するために金網、電気ショック装置などの種々の工夫が為されているが、未だに充分な糞害を解消できる工夫が為されていない。
【０００３】
例えば、特許文献１には、長尺のパイプに多数の孔を設け、該孔から圧搾空気を吹き出して鳥類を追い払う装置が提案されているが、該装置を含めて従来提案されている糞害防止装置は、いずれも構造が複雑でコスト高であるのみならず、効果が低くかつ建物などの美観などを損なうという課題がある。
【特許文献１】特開平６−３２７３９１号公報
【発明の開示】
【発明が解決しようとする課題】
【０００４】
従って本発明の目的は上記従来技術の問題点を解消し、鳩などの鳥類による糞害を効率よく解消でき、かつ安価であって建物などの美観を損なうことがない鳩糞などの糞害防止具を提供することである。
【課題を解決するための手段】
【０００５】
上記目的は以下の本発明によって達成される。すなわち、本発明は、長手方向に切込が設けられた貫通孔を有する基部（以下単に「基部」と略称する）と、該基部の周囲に設けた複数枚の羽根板とからなることを特徴とする鳩糞などの糞害防止具を提供する。
【０００６】
上記糞害防止具においては、羽根板の枚数が、２枚〜５枚であること；複数の羽根板が、貫通孔を有する基部の周囲に略同一の間隔を有して配置されていること；および少なくとも基部が、弾性体で形成されていることが好ましい。
【発明の効果】
【０００７】
本発明によれば、鳩などの鳥類による糞害を効率よく防止でき、かつ安価であって建物などの美観を損なうことがない鳩糞などの糞害防止具を提供することができる。
【発明を実施するための最良の形態】
【０００８】
次に発明を実施するための最良の形態を図面を参照してさらに詳細に説明する。本発明の鳩糞などの糞害防止具の１例は、図１に示す如く、長手方向に切込１が設けられた基部２と、該基部２の周囲に設けた複数枚の羽根板３とからなることを特徴としている。上記基部２は、電線、建物の梁などの補強鉄筋、ガスや水道のパイプ、手すりなどを包囲できる内径の貫通孔４を有する限り、任意の形状でよい。例えば、好ましい１例として内径が５ｍｍ〜５０ｍｍの円筒体が挙げられる。なお、本発明の防止具は長尺ものに形成し、該長尺ものを使用時に適当な長さに切断して用いてもよい。このような基部２はゴム、弾性プラスチック、金属の薄板などの弾性体から形成することが好ましい。
【０００９】
上記基部２の周囲には、複数の羽根板３が設けられている。該羽根板３の枚数は特に限定されないが２枚〜５枚程度設けることが好ましい。また、該複数の羽根板３は、基部２の周囲に略同一の間隔を有して配置されていることが好ましい。また、該羽根板３の形状および厚みも特に限定されないが、本発明の糞害防止具を鳩などの鳥類が足で握った場合に、全体を握れないように、例えば、羽根板の幅（基部２の長手方向に直交する長さ）が１〜２０ｃｍ程度が好ましい。
【００１０】
また、羽根板の長さ（基部の長手方向に平行な長さ）も特に限定されないが、後述する使用方法の説明から自明であるように、短過ぎると糞害防止に多数の防止具を必要とし、一方、長過ぎると、該防止具の設置が限られるので、例えば、３ｃｍ〜１００ｃｍ程度が好ましい。羽根板３の材質も特に限定されないが、本発明の防止具の生産性を考慮すると、上記基部と同一の材料を使用することが好ましい。特にある程度の剛性を有するものであれば弾性材料に限られない。該羽根板と前記基部との結合は、基部と羽根板とを別々に作成して、両者を接着、融着、嵌め込みなどで行なってもよいが、押出し成形や射出成形により基部と羽根板とを一体成形することが最も経済的である。
【００１１】
図２は、本発明の防止具の別の実施形態を説明する図である。図２に示す例は、基部２と羽根板３を一体成形して意匠性を付与した例である。図３に示す本発明の別の実施形態は、基部２の貫通孔４の内径を大きくしたものであり、主としてパイプや手すりなどに設置するのに適している。この場合には切込部１を幅広く形成し、貫通孔４内にパイプなどを挿入しやすくすることが好ましい。
【００１２】
次に図４および図５を参照して本発明の防止具の使用方法および作用効果を説明する。図４は、鳩が頻繁に飛来して糞害を生じるベランダの防御柵に、本発明の防止具を設置した状態を説明している。図示の場合にベランダの両側に２本の支柱５を設け、該支柱間にピアノ線６（ピアノ線に限られず、ロープなどの線状物であればよい）を張り、該ピアノ線に本発明の防止具を設置した状態を説明している。ピアノ線への防止具の設置は、防止具の２枚の羽根板を指で持ち、２枚の羽根板の間隔を狭めることによって基部に設けられている切込部が開くので、該開いた切込部からピアノ線を差し込み、次いで指を離すことにより、ピアノ線に防止具が簡単に設置される。図示の例では６個の防止具が設置されているが、これらの防止具の間は鳩の体幅より狭く設置することが好ましい。
【００１３】
図５に示すように、鳩７が飛来して防御柵に止まろうとした場合、防御柵上に本発明の防止具が設置されているので、飛来した鳩は、防止具の羽根板３に止まることになるが、鳩７が羽根板３に止まると（図５ａ）、防止具がピアノ線６を中心として自在に回転するので、鳩７が止まった場合には、鳩の体重により、防止具が回転し（図５ｂ）、鳩はバランスを取ることができず、防止具に止まることができない。やがて鳩の学習により、該ベランダへの鳩の飛来はなくなり、ベランダにおける糞害は解消される。
【００１４】
図４に示す例はベランダにおける使用例であるが、同様に駅舎、高架鉄道や高架道路のガード下、公園の設備、公共建物などの電線、補強鉄筋、各種パイプなどの如く鳩が多く飛来して止まる個所に本発明の防止具を設置することにより、前記ベランダに設置した場合と同様の作用により、やがて鳩の飛来は止まり、糞害が速やかに解決される。
また、以上の説明では本発明の防止具を水平に設ける例を挙げて説明したが、本発明の防止具は、必要に応じて支持体などを設け、任意の角度を有して、或は垂直に設けることもできる。
【産業上の利用可能性】
【００１５】
以上のように本発明によれば、鳩などの鳥類による糞害を効率よく防止でき、かつ安価であって建物などの美観を損なうことがない鳩糞などの糞害防止具を提供することができる。
【図面の簡単な説明】
【００１６】
【図１】本発明の糞害防止具を説明する図。
【図２】本発明の糞害防止具を説明する図。
【図３】本発明の糞害防止具を説明する図。
【図４】本発明の糞害防止具の使用方法の１例を説明する図。
【図５】本発明の糞害防止具の作用効果を説明する図。
【符号の説明】
【００１７】
１：切込部
２：基部
３：羽根板
４：貫通孔
５：支柱
６：ピアノ線
７：鳩
【図１】
2005295909.tif 000003
【図２】
2005295909.tif 000004
【図３】
2005295909.tif 000005
【図４】
2005295909.tif 000006
【図５】
2005295909.tif 000007